(57)【要約】【課題】サビキ釣りなどの魚釣り用仕掛けを安全に収納し、確実に保管でき、釣り鉤などの水洗いも容易に行える。【解決手段】上下部にそれぞれ上下切り欠き凹部１ａ，１ｂが形成された本体基板１を有する。ミキイト３１を上下切り欠き凹部１ａ，１ｂの間に巻き付ける。本体基板１の一方の側部および上下部に設けられた複数の係止スリット１ｃに、ミキイト３１の各端部を係止する。上下切り欠き凹部１ａ，１ｂの深さおよび上下切り欠き凹部１ａ，１ｂへの巻き付け部分から本体基板１の側縁までの最短の幅が、魚釣り用仕掛けのエダス３６の、ミキイト３１との接続部分からエダス３６先端の釣り鉤３４又はスキン３５の先端までの長さを超える長さである。前記一方の側部とは反対側の側部に、本体基板１の前後面を覆う前後のカバー板１０がヒンジ部材２０を介して結合されている。【選択図】図１
2015130833.tif 000002
【特許請求の範囲】
【請求項１】
板状の本体部と、前記本体部の前後両側を覆う板状のカバー部とを有し、前記本体部は、上下部にそれぞれ上下切り欠き凹部が形成されると共に、上下部および一方の側部に複数の係止スリットが設けられ、前記複数の係止スリットのいずれか一つに、魚釣り用仕掛けのミキイトの一端を係止し、前記ミキイトを前記上下切り欠き凹部の間に巻き付け、前記ミキイトの他端を前記複数の係止スリットのいずれか一つに係止した状態で前記カバー部にて前記本体部の前後両側を覆い、前記魚釣り用仕掛けを封じ込める封じ込め式魚釣り用仕掛け収納・保管具であって、
前記上下切り欠き凹部の深さおよび前記上下切り欠き凹部への巻き付け部分から前記本体部の側縁までの最短長さが、前記魚釣り用仕掛けのエダスの、ミキイトとの接続部分から前記エダス先端の釣り鉤の先端、又は前記釣り鉤がスキン付きの場合には前記スキンの先端までの長さを超える長さであり、
前記一方の側部とは反対側に位置する他方の側部に、前記カバー部が前記本体部との間を開放可能に結合されていることを特徴とする封じ込め式魚釣り用仕掛け収納・保管具。
【請求項２】
前記上下切り欠き凹部は、略三角形状又は略半円形状である、請求項１に記載の封じ込め式魚釣り用仕掛け収納・保管具。
【請求項３】
前記本体部の前後面および前記カバー部の内側面には、前記魚釣り用仕掛けの釣り鉤が前記前後面や前記カバー部に密着するのを防止する多数の凹凸が形成されている、請求項１または２に記載の封じ込め式魚釣り用仕掛け収納・保管具。
【請求項４】
前記本体部の上下部内および／または側部内に、前記魚釣り用仕掛けの釣り鉤を保持する磁石が着脱可能に設けられている、請求項１〜３のいずれか１つに記載の封じ込め式魚釣り用仕掛け収納・保管具。
【請求項５】
板状の本体部と、前記本体部の前後両側を覆う板状のカバー部とを有し、前記本体部は、上下部にそれぞれ上下切り欠き凹部が形成されると共に、上下部および一方の側部に複数の係止スリットが設けられ、前記複数の係止スリットのいずれか一つに、魚釣り用仕掛けのミキイトの一端を係止し、前記ミキイトを前記上下切り欠き凹部の間に巻き付け、前記ミキイトの他端を前記複数の係止スリットのいずれか一つに係止した状態で前記カバー部にて前記本体部の前後両側を覆い、前記魚釣り用仕掛けを封じ込める封じ込め式魚釣り用仕掛け収納・保管具であって、
前記本体部の両側部のうち少なくとも前記一方の側部には、エダスや釣り鉤が前記一方の側部から飛び出すのを防ぐ飛び出し防止部が設けられ、
前記一方の側部とは反対側に位置する他方の側部に、前記カバー部が前記本体部との間を開放可能に結合されていることを特徴とする封じ込め式魚釣り用仕掛け収納・保管具。
【請求項６】
前記本体部は、前記他方の側部において、前記カバー部とヒンジ部材を介して結合され、
前記ヒンジ部材は、断面環状のヒンジ部を有し、
前記本体部および前記カバー部には、それぞれ、前記ヒンジ部が挿通される挿通孔が互いに対応して形成されている請求項１〜５のいずれか１つに記載の封じ込め式魚釣り用仕掛け収納・保管具。
【請求項７】
リール状の本体部と、前記本体部の外周部を覆う帯状のカバー部とを有し、前記本体部は、外周部に環状の凹溝部が形成されると共に、外周側部に複数の係止スリットが形成され、前記複数の係止スリットのいずれか一つに、魚釣り用仕掛けのミキイトの一端を係止し、前記ミキイトを前記環状の凹溝部に巻き付け、前記ミキイトの他端を前記複数の係止スリットのいずれか一つに係止した状態で前記カバー部にて前記本体部の外周部を覆い、前記魚釣り用仕掛けを封じ込める封じ込め式魚釣り用仕掛け収納・保管具であって、
前記凹溝部の深さは、前記仕掛けのエダスの、ミキイトとの接続部分から前記エダス先端の釣り鉤の先端、又は前記釣り鉤がスキン付きの場合には前記スキンの先端までの長さを超える深さであり、
前記カバー部は一方の端部に複数の係止穴が、他方の端部に前記係止穴に係脱可能に係止される係止部が形成されている、ことを特徴とする封じ込め式魚釣り用仕掛け収納・保管具。
【請求項８】
前記凹溝部は，前記本体部の外周部に、螺旋状に形成されている、請求項７に記載の封じ込め式魚釣り用仕掛け収納・保管具。
【発明の詳細な説明】
【技術分野】
【０００１】
本発明は、サビキ釣りなどで使用する魚釣り用仕掛けの封じ込め式魚釣り用仕掛け収納・保管具に関するものである。
【背景技術】
【０００２】
サビキ釣りなどで使用する魚釣り用仕掛けでは、数十ｃｍ〜１．５ｍ程度のミキイト（幹糸）の中間部分にエダス（枝素）を介して複数の釣り鉤やスキン付き釣り鉤がほぼ等間隔で設けられ、ミキイトの両端にはサルカン（つまり、スナップ（留金）とヨリモドシ（撚戻し）が一体化したもの）やスナップなどの連結具が結合されたものが使用される。このような魚釣り用仕掛けの一例を説明する。図７に示すように、仕掛け３０は、長さがほぼ１．５ｍのミキイト３１の一端側に釣り竿から伸びているミチイト（道糸  図示せず）とミキイト３１とを結合するためのスナップ３２およびヨリモドシ３３が連結されている。ミキイト３１の中間部にはほぼ等間隔（例えば２０ｃｍ程度）に間隔をおいて、先端に釣り鉤３４およびスキン３５を取り付けた多数のエダス３６（例えば長さ４ｃｍ程度）が設けられ、さらに他端側にはスナップ３２およびヨリモドシ３３が連結され、スナップ３２にはオモリ３７が連結されている。
【０００３】
このような仕掛けは、一旦使用されると、従来は、再使用するために、一旦使用した魚釣り用仕掛けを、例えば、短く納竿した竿先に魚釣り用仕掛けの一端を繋いだまま竿尻に向かってミキイト３１を螺旋状に巻き付け、終端は竿尻とともに輪ゴムなどで留め置いて収納・保管することが行われている。この場合には、釣り鉤３４は、竿の動きに追随して広範囲に振り廻されたり揺れ動いたりするので、手や衣服や廻りのものに引っ掛けたりするという課題がある。
【０００４】
また、一旦使用した釣り鉤３４などの、魚釣り用仕掛けの金属部分は、水洗いしないと錆びるので、水洗いの必要がある。例えば、短く納竿した竿先から竿尻に渡って巻き付けた魚釣り用仕掛け３０の金属部分は収納竿全体に渡って分散しているために大量の水を必要とする。
【０００５】
一方、釣り鉤３４が引っ掛かるのを防止するために鉤先を小さな発泡スチロールに刺すことが考えられるが、例えば、短く納竿した竿先から竿尻までに分散・揺動する釣り鉤３４を手繰り寄せ、釣り鉤３４を摘まんで発泡スチロールに刺すのは、衣類や他のものを引っ掛けたり、指先などに刺さる恐れがあり、また、水洗いの際には、釣り鉤３４から発泡スチロールを脱着せねばならず、その作業が危険・面倒である。
【０００６】
ところで、そのような仕掛けの収納具として、折り返し折り曲げ可能な１枚のシートをＷ形に折り曲げ、内側山折り面に設置された仕掛け針巻き付け部を全面包み覆うように構成したものが提案されている（例えば特許文献１参照）。
【先行技術文献】
【特許文献】
【０００７】
【特許文献１】特開２０００−１８９０２５号公報
【発明の開示】
【発明が解決しようとする課題】
【０００８】
特許文献１に記載のものでは、定置させた仕掛け鉤巻き付け部に対しミキイトを手繰って巻き付け、その際エダスが揺動するので手に刺さらないように注意するとともに、揺動する釣り鉤を摘まんで揺動しないようにスリット・磁石・ホッチキス針などを利用して釣り鉤を係止するが、釣り鉤が表裏に分散・随所から鉤先が飛び出して危険である。しかも、釣り鉤などの金属部分の水洗いする際には、各釣り鉤の係止を解除しなければならず、水洗い作業が面倒である。
【０００９】
本発明の目的は、サビキ釣りなどの魚釣り用仕掛けのミキイトを手繰らずに巻き付け、しかも釣り鉤に触れることなく収納できる安全で、また釣り鉤などの金属部分の水洗いが容易に行え、保管中も釣り鉤が他のものと縺れたり絡んだり引っ掛かったりしない封じ込め式魚釣り用仕掛け収納・保管具を提供することである。
【課題を解決するための手段】
【００１０】
請求項１の発明は、板状の本体部と、前記本体部の前後両側を覆う板状のカバー部とを有し、前記本体部は、上下部にそれぞれ上下切り欠き凹部が形成されると共に、上下部および一方の側部に複数の係止スリットが設けられ、前記複数の係止スリットのいずれか一つに、魚釣り用仕掛けのミキイトの一端を係止し、前記ミキイトを前記上下切り欠き凹部の間に巻き付け、前記ミキイトの他端を前記複数の係止スリットのいずれか一つに係止した状態で前記カバー部にて前記本体部の前後両側を覆い、前記魚釣り用仕掛けを封じ込める封じ込め式魚釣り用仕掛け収納・保管具であって、前記上下切り欠き凹部の深さおよび前記上下切り欠き凹部への巻き付け部分から前記本体部の側縁までの最短長さが、前記魚釣り用仕掛けのエダスの、ミキイトとの接続部分から前記エダス先端の釣り鉤の先端、又は前記釣り鉤がスキン付きの場合には前記スキンの先端までの長さを超える長さであり、前記一方の側部とは反対側に位置する他方の側部に、前記カバー部が前記本体部との間を開放可能に結合されていることを特徴とする。
【００１１】
このようにすれば、鉛直に垂れ下がった魚釣り用仕掛けのミキイトの上部を、解放された本体部の上下部の係止スリットのいずれか一つに係止し、ミキイトを上下切り欠き凹部に導き本体部を目前で回転させることによって、魚釣り用仕掛けの局所的な動きの中でミキイトを上下切り欠き凹部に収束させて巻き付けることが出来るとともに、それに伴いエダスも自動的に収束したミキイトを中心に巻き取ることが出来、結局魚釣り用仕掛けは本体部の前後面からはみ出すことはない。
これら一連の所作は、ミキイトを手繰らず、釣り鉤に触れることがないため安全で、釣り鉤などの金属部分の水洗いはカバー部を開くことによって容易に行え、カバー部を閉じることによって他のものに絡んだり引っ掛けたりすることがないので何所でも不安なく保管できる。
【００１２】
この場合、請求項２に記載のように、前記上下切り欠き凹部は、略三角形状又は略半円形状である構成とすることができる。ここで、「略三角形状」とは最深部が円形状の場合を含み、「略半円形状」とは半楕円形状の場合を含む。
また、請求項３に記載のように、前記本体部の前後面および前記カバー部の内側面には、前記魚釣り用仕掛けの釣り鉤が前記前後面や前記カバー部に密着するのを防止する多数の凹凸が形成されている構成とすることができる。この多数の凹凸は、いわゆるエンボス加工などの周知の手段によりなされる。
【００１３】
請求項４に記載のように、前記本体部の上下部内および／または側部内に、前記魚釣り用仕掛けの釣り鉤を保持する磁石が着脱可能に設けられている構成とすることができる。
【００１４】
このようにすれば、上下切り欠き凹部に巻かれたミキイトから揺動する釣り鉤を磁力によって固定し、特に釣り鉤が重なりあっても揺動しないので絡むことを防止できる。
【００１５】
請求項５の発明は、板状の本体部と、前記本体部の前後両側を覆う板状のカバー部とを有し、前記本体部は、上下部にそれぞれ上下切り欠き凹部が形成されると共に、上下部および一方の側部に複数の係止スリットが設けられ、前記複数の係止スリットのいずれか一つに、魚釣り用仕掛けのミキイトの一端を係止し、前記ミキイトを前記上下切り欠き凹部の間に巻き付け、前記ミキイトの他端を前記複数の係止スリットのいずれか一つに係止した状態で前記カバー部にて前記本体部の前後両側を覆い、前記魚釣り用仕掛けを封じ込める封じ込め式魚釣り用仕掛け収納・保管具であって、前記本体部の両側部のうち少なくとも前記一方の側部には、エダスや釣り鉤が前記一方の側部から飛び出すのを防ぐ飛び出し防止部が設けられ、前記一方の側部とは反対側に位置する他方の側部に、前記カバー部が前記本体部との間を開放可能に結合されていることを特徴とする。ここで、飛び出し防止部は、エダスや釣り鉤が前記一方の側部から飛び出すのを防ぐことができればよく、例えば、折り返し部や突部とすることができる。
このようにすれば、飛び出し防止部が、魚釣り用仕掛けの一部が前記一方の側部から飛び出すのを防ぐので、上下切り欠き凹部と一方の側部までの幅を小さくすることができる。
【００１６】
また、請求項６に記載のように、前記本体部は、前記他方の側部において、前記カバー部とヒンジ部材を介して結合され、前記ヒンジ部材は、断面環状のヒンジ部を有し、前記本体部および前記カバー部には、それぞれ、前記ヒンジ部が挿通される挿通孔が互いに対応して形成されている構成とすることも可能である。
【００１７】
請求項７の発明は、リール状の本体部と、前記本体部の外周部を覆う帯状のカバー部とを有し、前記本体部は、外周部に環状の凹溝部が形成されると共に、外周側部に複数の係止スリットが形成され、前記複数の係止スリットのいずれか一つに、魚釣り用仕掛けのミキイトの一端を係止し、前記ミキイトを前記環状の凹溝部に巻き付け、前記ミキイトの他端を前記複数の係止スリットのいずれか一つに係止した状態で前記カバー部にて前記本体部の外周部を覆い、前記魚釣り用仕掛けを封じ込める封じ込め式魚釣り用仕掛け収納・保管具であって、前記凹溝部の深さは、前記仕掛けのエダスの、ミキイトとの接続部分から前記エダス先端の釣り鉤の先端、又は前記釣り鉤がスキン付きの場合には前記スキンの先端までの長さを超える深さであり、前記カバー部は一方の端部に複数の係止穴が、他方の端部に前記係止穴に係脱可能に係止される係止部が形成されている、ことを特徴とする。なお、この請求項７の発明の場合も、環状の凹溝部表面に凹凸を設けたり、環状の凹溝部裏面に磁石を着脱可能に設けたりすることも含まれる。
【００１８】
このようにすれば、ミキイトの両端のヨリモドシやスナップを除いて、請求項１の発明と同様に、安全に収納でき、水洗いも容易に行え、何所でも不安なく保管できる。
【００１９】
この場合、請求項８に記載のように、前記凹溝部は、螺旋状に形成されていることが望ましい。なお、この請求項８の場合も、螺旋状の凹溝部表面に凹凸を設けることが含まれる。
【００２０】
このようにすれば、魚釣り用仕掛けのエダスが絡まるのを回避する上でより有利である凹溝部とすることができる。
【発明の効果】
【００２１】
本発明は、漁釣り用仕掛けの収納を、釣り鉤に触れることなく行えて安全であり、収納後は魚釣り用仕掛けが本体部より外方に出ることがないようにしているとともにカバー部で封じ込めているので、衣服や他のものに引っ掛けることがなく、確実に収納・保管をできる。また、巻き付け部分を水に浸すことで、水洗いを容易に行うことができる。
【図面の簡単な説明】
【００２２】
【図１】本発明に係る封じ込め式魚釣り用仕掛け収納・保管具の第一実施の形態を示し、（ａ）は正面図、（ｂ）は左側面図、（ｃ）は右側面図、（ｄ）はカバー部であるカバー板を閉じた状態を示す平面図、（ｅ）はカバー板を開いた状態を示す平面図である。
【図２】（ａ）は前記収納・保管具の本体部である本体基板の正面図、（ｂ）は前記カバー板の正面図である。
【図３】（ａ）は前記本体基板の変形例の説明図、（ｂ）は前記カバー板の変形例の説明図である。
【図４】前記魚釣り用仕掛け収納・保管具の変形例を示し、（ａ）はカバー板を閉じた状態を示す平面図、（ｂ）はカバー板を開いた状態を示す平面図である。
【図５】ヒンジ部分の変形例の説明図である。
【図６】本発明に係る封じ込め式魚釣り用仕掛け収納・保管具の第二実施の形態を示し、（ａ）は本体部の正面図、（ｂ）は同断面図、（ｃ）はカバー部であるカバーバンドの説明図、（ｄ）は本体部の変形例の側面図である。
【図７】スキン付き釣り鉤を有する魚釣り用仕掛けの一例を示す説明図である。
【発明を実施するための形態】
【００２３】
以下、本発明の実施の形態を図面に沿って説明する。
（第１の実施の形態）
図１は本発明に係る封じ込め式魚釣り用仕掛け収納・保管具の第一実施の形態を示し、（ａ）は正面図、（ｂ）は左側面図、（ｃ）は右側面図、（ｄ）はカバー部であるカバー板を閉じた状態を示す平面図、（ｅ）はカバー板を開いた状態を示す平面図である。
【００２４】
図１（ａ）（ｂ）（ｃ）に示すように、封じ込め式魚釣り用仕掛け収納・保管具１００Ａは、本体部である本体基板１と、前後のカバー部であるカバー板１０，１０と、ヒンジ部材２０とを備える。ここで、前後のカバー板１０，１０は同一形状で、本体基板１全体をそれの前後にて覆うことができる大きさを備えている。
【００２５】
本体基板１は、上下部のそれぞれに、三角形状の上下切り欠き凹部１ａ，１ｂが形成されている。そして本体基板１の一方の側部および上下部に、複数の係止スリット１ｃ（図２（ａ）参照）が形成されている。
【００２６】
これにより、複数の係止スリット１ｃのいずれか一つに、魚釣り用仕掛け３０のミキイト３１の一端（例えばスナップが設けられている端部）を係止し、ミキイト３１を上下切り欠き凹部１ａ，１ｂの間に巻き付け、ミキイト３１の他端を複数の係止スリット１ｃのいずれか一つに係止した状態でカバー板１０，１０にて本体基板１の前後両側を覆い、魚釣り用仕掛け３０を封じ込め、収納・保管することができる。なお、上下切り欠き凹部１ａ，１ｂの形状は三角形状である必要はなく、半円形状など、ミキイト３１を収束して巻き付けることができる形状であれば、採用することができる。
【００２７】
図２に示すように、上下切り欠き凹部１ａ，１ｂの深さＤおよび、その上下切り欠き凹部１ａ，１ｂへの巻き付け部分から本体基板１の側縁Ｌ１，Ｌ２までの最短の幅Ｗ１，Ｗ２（最短長さ）が、魚釣り用仕掛け３０のエダス３６の、ミキイト３１との接続部分からエダス３６先端の釣り鉤３４の先端までの長さを超える長さとなっている。
また、スキン付き釣り鉤３４の場合にはスキン３５の先端までの長さを超える長さとすることが望ましい。釣り鉤３４だけでなくスキン３５も本体基板１より外方に出ることはないようにするためである。なお、通常はスキン３５の先端までの長さの方が釣り鉤３４の先端までの長さよりも大きいが、手や衣服や廻りのものに引っ掛けたりするという課題の点から考えると、少なくとも釣り鉤３４の先が外部に出ない、釣り鉤３４の先端までの長さを超える長さであれば足りる。
【００２８】
また、係止スリット１ｃが設けられている一方の側部とは反対側の他方の側部に、本体基板１の前後面をそれぞれ覆う前後のカバー板１０が、ヒンジ部材２０を介して回転可能に結合されている。
【００２９】
ヒンジ部材２０は、３つの、断面環状のヒンジ部２０ａが間隔をあけて連結部２０ｂにて相互に連結されている。各ヒンジ部２０ａには、本体基板１およびカバー板１０を挿入するための挿入スリット２０ｃが形成されている。なお、ヒンジ部２０ａの数は３つに限らない。
【００３０】
つまり、図２（ａ）（ｂ）に示すように、本体基板１の、前記他方の側部に、第１の挿通孔１ｄが３つ形成され、前後カバー板１０それぞれに第１の挿通孔１ｄに対応して第２の挿通孔１０ａが形成されている。そして、断面環状に形成された各ヒンジ部２０ａが第１及び第２の挿通孔１ｄ，１０ａにそれぞれ挿通されてそれらを結合することで、本体基板１に対し前後カバー板１０，１０が回転可能に結合されるように構成されている。なお、ヒンジ部材の形状は、このような断面環状のヒンジ部を有するものに限定されず、前後のカバー板１０，１０が本体基板１に、各カバー板１０と本体基板１との間を開放可能に結合され、本体基板１の前後面を露出させることができるものであれば、採用することができる。また、第１および第２の挿通孔１ｄ，１０ａの数も３つに限らない。
【００３１】
この収納・保管具１００Ａによれば、本体基板１の上下切り欠き凹部１ａ，１ｂの深さＤおよび上下切り欠き凹部１ａ，１ｂへの巻き付け部分から本体基板１の側縁までの最短の幅Ｗ１，Ｗ２が、魚釣り用仕掛け３０のエダス３６の、ミキイト３１との接続部分から前記エダス３６先端の釣り鉤３４の先端（又は釣り鉤３４がスキン付きの場合にはスキン３５の先端）までの長さを超える長さであるので、魚釣り用仕掛け３０の一部が本体基板１より外方に出ることはない。また、魚釣り用仕掛け３０が巻き付けられた状態で、図１（ｄ）に示すように、前後のカバー板１０にて巻き付け部分は覆われることになるので、魚釣り用仕掛けの収納・保管を確実にできる。
【００３２】
そして、図１（ｅ）に示すように、前後のカバー板１０を開き、ヒンジ部材２０のヒンジ軸回りに回転させて、本体基板１とは反対側に位置させると、本体基板１の前後面が開放されて露出することとなり、本体基板１の巻き付け部分を簡単に水に浸すことができ、釣り鉤３４などの金属部分の水洗いを容易に行うことができる。
【００３３】
前記実施の形態では、収納保管時に、釣り鉤３４が本体基板１の前後面およびカバー板１０Ａの内側面（本体基板１Ａ側の面）に密着しないように、図３（ａ）（ｂ）に示すように，本体基板１Ａの前後面や前後のカバー板１０Ａの内側面を、エンボス加工により細かい多数の凸部（突起）が形成された凹凸面とするようにしてもよい。
【００３４】
また、魚釣り用仕掛けの収納・保管状態では、釣り鉤３４が不用意に移動しないように、図３（ａ）に鎖線で示すように、シート状の脱着磁石４０を本体基板１Ａの上下部内および／または側部内に着脱可能に設けるようにすれば、磁石４０の磁力により釣り鉤３４を定位置に移動不能に固定することができる。そして、釣り鉤３４などの金属部分の洗浄時には、脱着磁石４０を本体基板１Ａ内から取り外すことにより、前記金属部分が磁石４０の磁力から解放されて自由に動くようになるので、前記金属部分の水洗いを妨げることもない。
【００３５】
さらに、本体基板１Ａの両側部に、エダス３６や釣り鉤３４を基板中央部側に規制する飛び出し防止部１ｅが設けるようにすれば（図３（ａ）参照）、飛び出し防止部１ｅによって、エダス３６や釣り鉤３４が本体基板１Ａをはみ出して本体基板１Ａの周縁（側縁や上下縁）より外方に出るのを確実に回避することができる。なお、ヒンジ部材２０が設けられている側はヒンジ部材２０による結合部分が飛び出し防止部１ｅと同様な機能を発揮するので、前記最短の幅を、Ｗ２＜Ｗ１とすることができる。このようにすれば、収納・保管具の全幅を狭くでき、コンパクト化が図れる。
【００３６】
さらに、また、本体基板は１枚とする必要はなく、複数枚とすることもできる。例えば図４（ａ）（ｂ）に、２枚の本体基板１Ｂ，１Ｃを有する実施の形態を示す。この場合、２枚の本体基板１Ｂ，１Ｃの間に配置される中間のカバー板１０Ｂを２つの本体基板１Ｂ，１Ｃに対し共通のものとして使用することになる。そのため、中間のカバー板１０Ｂの両側部がいずれも本体基板１Ｂ，１Ｃにヒンジ部材２０Ａ，２０Ｂを介してヒンジ軸回りに回転可能に結合されている。これにより、図４（ａ）に示すように、折り畳むことで、いずれの本体基板１Ｂ，１Ｃに巻き付けられている魚釣り用仕掛けもカバー板１０Ｂ〜１０Ｄと本体基板１Ｂ，１Ｃとの間に封じ込めることができる一方、図４（ｂ）に示すように、展開することで、いずれの本体基板１Ｂ，１Ｃの前後面も露出させることができるので、いずれの本体基板１Ｂ，１Ｃに巻き付けられている魚釣り用仕掛けも、前述した場合と同様に、容易に水洗いすることができる。
【００３７】
前記実施の形態では、本体基板（本体部）に対しカバー板（カバー部）をヒンジ部材を介して結合しているが、図５に示すように、本体基板１Ｄの前後にカバー板１０Ｅを留め具４１で固定し、その固定部分にカバー板１０Ｅが折り曲げ可能なるように構成し、カバー板１０Ｅを折り曲げることで、本体基板１Ｄの前後面を露出させるようにすることも可能である。このようにすれば、構造の簡素化が図れる。なお、４２は折り曲げ線である。
（第２の実施の形態）
図６（ａ）（ｂ）に示すように、封じ込め式魚釣り用仕掛け収納・保管具１００Ｂは、外周中央部が深くなっている環状の凹溝部としてのＶ溝部５０ａが形成されたリール状の本体部５０を有する。この本体部５０の側部には、直径方向に延びる把持部５０ｂが設けられている。
【００３８】
この本体部５０の外周側部に設けられた複数の係止スリット５０ｃのいずれか一つに、魚釣り用仕掛けのミキイト３１の一端を係止し、前記ミキイト３１を凹溝部５０ａに巻き付け、前記ミキイト３１の他端を複数の係止スリット５０ｃのいずれか一つに係止することで、魚釣り用仕掛けを収納することができる。
【００３９】
ここで、第１の実施の形態と同様に、Ｖ溝部５０ａの深さは、前記仕掛けのエダス３６の、ミキイト３１との接続部分から前記エダス３６先端の釣り鉤３４の先端、又は前記釣り鉤がスキン付きの場合には前記スキン３５の先端までの長さを超える長さとなっている。
【００４０】
また、Ｖ溝部５０ａの外周側部分に、帯状のカバー部材６０が取り外し可能に巻き付けて設けられる。エダス３６や釣り鉤３４が本体部５０の周縁から外方にはみ出さないように、仕掛けが確実に収納・保管される。カバー部材６０は、Ｖ溝部５０ａに幅に対応する幅を有し、一報の端部に係止部６０ａが、他方の端部には複数の被係合穴６０ｂが形成され、本体部５０の大きさに応じて、係止部６０ａが係脱可能に係止される被係合穴６０ｂを選択できるようになっている、
Ｖ溝部の形状としては、図６（ｄ）に示すように、外周中央部に螺旋状に形成されたＶ溝部５０ａａとすることも可能である。カバー部材６０で外周部を覆う点は同様である。このようにすれば、魚釣り用仕掛けのエダスなどが相互に絡まるのを回避する上で有利な構造とすることができる。
【符号の説明】
【００４１】
・  １Ａ〜１Ｃ  本体基板
１ａ  上切り欠き凹部
１ｂ  下切り欠き凹部
１ｃ  係止スリット
１ｄ  第１の挿通孔
１ｅ  飛び出し防止部
１０，１０Ａ〜１０Ｄ  カバー板
１０ａ  第２の挿通孔
２０  ヒンジ部材
２０ａ  ヒンジ部
２０ｂ  連結部
２０ｃ  スリット
３０  仕掛け
３１  ミキイト
３２  スナップ
３３  ヨリモドシ
３４  釣り鉤
３５  スキン
３６  エダス
３７  オモリ
４０  脱着磁石
４１  留め具
５０  本体部
５０ａ  Ｖ溝部
５０ｂ  把持部
６０  カバー部材
６０ａ  係止部
６０ｂ  被係合穴
１００Ａ，１００Ｂ  封じ込め式魚釣り用仕掛け収納・保管具
【図１】
2015130833.tif 000003
【図２】
2015130833.tif 000004
【図３】
2015130833.tif 000005
【図４】
2015130833.tif 000006
【図５】
2015130833.tif 000007
【図６】
2015130833.tif 000008
【図７】
2015130833.tif 000009